(57)【要約】      （修正有）【課題】外カバーが内カバーに対し滑り易いような構成にしたマットレスを提供する。【解決手段】マットレスクッション材としてウレタンフォーム２１，２２，２３を用い、該ウレタンフォームを摩擦係数の低い素材からなる内カバー１４で被覆し、さらにその外側を前記内カバー１４よりも寸法が大きく、かつ内カバー同様に摩擦係数の低い素材からなる外カバー１６で被覆する。前記マットレスクッション材は、複数枚のウレタンフォーム２１、２２、２３、を重ねた多層構造に形成し、そのうち少なくとも中間位置のウレタンフォーム２２は部位２２ａ、２２ｂ、２２ｃによって硬度が異なる構成とする。【選択図】図２
0003160242.tif 000002
【実用新案登録請求の範囲】
【請求項１】
マットレスクッション材としてウレタンフォームを用い、該ウレタンフォームを摩擦係数の低い素材からなる内カバーで被覆し、さらにその外側を前記内カバーよりも寸法が大きく、かつ内カバー同様に摩擦係数の低い素材からなる外カバーで被覆したことを特徴とするマットレス。 
【請求項２】
前記マットレスクッション材は、複数枚のウレタンフォームを重ねた多層構造に形成され、そのうち少なくとも１枚のウレタンフォームは部位によって硬度が異なる構成であることを特徴とする請求項１記載のマットレス。
【請求項３】
前記内カバー及び外カバーは、全方向に摩擦係数が低い素材からなることを特徴とする請求項１又は２記載のマットレス。
【請求項４】
前記内カバー及び外カバーは、長手方向に摩擦係数が低い素材からなることを特徴とする請求項１又は２記載のマットレス。
【請求項５】
前記内カバー及び外カバーは、幅方向に摩擦係数が低い素材からなることを特徴とする請求項１又は２記載のマットレス。
【請求項６】
前記外カバーは、上側と下側が分離可能に構成されており、その上側の表面には防水ラミネート加工が施されていることを特徴とする請求項１〜５のいずれか１項記載のマットレス。
【考案の詳細な説明】
【技術分野】
【０００１】
本考案は、病院や一般家庭でベッドの上に敷いて用いられるマットレスに関し、詳しくはポリウレタンフォーム（以下、ウレタンフォームという。）を内カバー（インナーカバー）で覆い、さらにその外側を外カバー（アウターカバー）で覆ったタイプのマットレスに関するものである。
【背景技術】
【０００２】
従来からマットレスのクッション材としてウレタンフォームを用いたものがある。ウレタンフォームだけでは破損し易く、また汚れた場合に清掃がし難いという理由から脱着が容易な外カバーで覆って用いるのが一般的である。
【０００３】
最近のベッドは病院用でも、或いは在宅介護用でもギャッジ機構が設けられたものが広く普及してきている。このようなベッドに臥している人の食事時や或いは気晴らし等においてベッドの背上げを行う際に、図６に示すように、ベッドの屈曲形状に合わせてマットレス６０も屈曲するが、身体の屈曲箇所がこれに一致せず、矢印に示すようにマットレスと身体にずれ力が生じる。身体がずれようとする際に発生する皮膚表面にかかる摩擦力によって床ずれ要因となったり、身体が圧迫されて不快感を与えることがある。このずれの解消方法として、介護者が背抜きといわれている一旦患者を抱き起こしてからマットレスにもたれかからしたり、また脚抜き・腰抜きといわれている下肢を少し持ち上げて元に戻すようなことも必要となる。
【０００４】
このため、特許文献１において、次のような発明が提案されている。すなわち、この発明は、図７に示すように、ギャッジベッド７０に適用可能なマットレス７１であって、第１のマットレス７１ａと第２のマットレス７１ｂとを積層して構成し、これら第１マットレス、第２マットレスのうちボトム側のマットレス長手方向側縁部を、第１マットレスと第２マットレスの他の箇所の材質に比較して高反発性の材質によって構成し、ギャッジ動作によって生ずる、第１マットレスと第２マットレスとのずれを、前記高反発性の材質よりなる長手方向側縁部により促進させて、使用者の身体に与えるストレスを軽減させ、且つ、前記長手方向側縁部において使用者が座起した姿勢を安定的に支えるようにしたものである。としている。
さらに、第１マットレスと第２マットレスとの間に滑動性を促進する部材を設けて、第１マットレスに対し第２マットレスが滑りやすくした構成もある。
【０００５】
また、特許文献２には、図８に示すように、マットレス８０のマットレスクッション材としてそれぞれが均一で硬さの異なる多層構造のポリマーフォーム８１ａ、８１ｂと、この多層構造の全面を被う摩擦係数の低い素材を使用した内カバー８２と、この内カバーの外側に脱着可能に被着される外カバー８３を備えたものが提案されている。
【先行技術文献】
【特許文献】
【０００６】
【特許文献１】特許第３２１６８０２号公報
【特許文献２】実用新案登録第３１１３１８８号公報
【考案の概要】
【考案が解決しようとする課題】
【０００７】
特許文献１記載の発明の場合、第１マットレスと第２マットレスの間ですべりをおこさせるため、背上げのたびにマットレス同士が擦れるので破損し易い可能性がある。また、マットレス間のすべりをさせるために構造が複雑になっている。
また、特許文献２記載の考案の場合、内カバーは摩擦係数が低い素材を用いていて、内カバーと外カバー間ですべりを生じやすくしているとしているが、外カバーの摩擦係数については言及がなく、また図から見ると内カバーと外カバーの寸法はほぼ等しいので内カバーに外カバーが密着してしまい身体へのずれ力を吸収し難いという感じがする。
【０００８】
本考案の課題は、上記課題を解決するため、内カバーと外カバーの両方とも摩擦係数の低い素材を使用して外カバーが内カバーに対し滑り易いような構成にしたマットレスを提供することにある。
【課題を解決するための手段】
【０００９】
本考案は、上記課題に鑑みてなされたものであり、請求項１記載のマットレスは、マットレスクッション材としてウレタンフォームを用い、該ウレタンフォームを摩擦係数の低い素材からなる内カバーで被覆し、さらにその外側を前記内カバーよりも寸法が大きく、かつ内カバー同様に摩擦係数の低い素材からなる外カバーで被覆したことを特徴としている。 
【００１０】
請求項２記載の考案は、請求項１記載のマットレスにおいて、前記マットレスクッション材は、複数枚のウレタンフォームを重ねた多層構造に形成され、そのうち少なくとも１枚のウレタンフォームは部位によって硬度が異なる構成であることを特徴としている。 
【００１１】
請求項３記載の考案は、請求項１又は２記載のマットレスにおいて、内カバー及び外カバーは、全方向に摩擦係数が低い素材からなることを特徴としている。 
【００１２】
請求項４記載の考案は、請求項１又は２記載のマットレスにおいて、内カバー及び外カバーは、長手方向に摩擦係数が低い素材からなることを特徴としている。 
【００１３】
請求項５記載の考案は、請求項１又は２記載のマットレスにおいて、内カバー及び外カバーは、幅方向に摩擦係数が低い素材からなることを特徴としている。 
【００１４】
請求項６記載の考案は、請求項１〜５のいずれか１項記載のマットレスにおいて、外カバーは、上側と下側が分離可能に構成されており、その上側の表面には防水ラミネート加工が施されていることを特徴としている。 
【考案の効果】
【００１５】
請求項１記載の考案によれば、摩擦係数の低い素材からなる内カバーと、その外側を内カバーよりも寸法が大きく、かつ内カバー同様に摩擦係数の低い素材からなる外カバーで被覆したので、内カバーと外カバーとの間の滑るストロークが長くなり、ベッドを背上げしたときに、身体と密着した状態の外カバーが内カバーとの間で滑るので身体にずれ力を与え難く、簡単な構造で床ずれなどの防止が図られる。 また、製造工程を簡易なものとすることができるため、製造コストを大幅に抑えることが可能となる。
【００１６】
また、請求項２記載の考案では、複数枚のウレタンフォームを重ねた多層構造に形成され、そのうち少なくとも１枚のウレタンフォームは部位によって硬度が異なる構成としたので、例えば腰部や臀部に位置する部位を硬めにしておけば、腰部や臀部の沈み込みを防げ、身体の姿勢を良い状態に保つことができる。 
【００１７】
また、請求項３記載の考案では、内カバー及び外カバーが全方向に摩擦係数が低い素材を使用したので、ベッドの背上げのとき以外にも、寝返りのときにも身体に与えるずれ力を軽減させることができる。 
【００１８】
請求項４記載の考案では、内カバー及び外カバーが長手方向に摩擦係数が低い素材を使用したので、ベッドの背上げのときに好適となる。 
【００１９】
請求項５記載の考案では、内カバー及び外カバーが横方向に摩擦係数が低い素材を使用したので、ベッドに患者を乗せるときや寝返りを打たせるときに好適となる。 
【００２０】
請求項６記載の考案では、外カバーが上側と下側が分離可能に構成されているので、用途に応じて外カバーの上側を交換できる。また、その上側の表面には防水ラミネート加工が施されているので、失禁等にも対応することが容易となる。 
【図面の簡単な説明】
【００２１】
【図１】本考案に係るマットレスの一実施例で、（ａ）はマットレス長手方向の断面図、（ｂ）は幅方向の断面図である。
【図２】本考案に係るマットレスの他の実施例で、（ａ）は長手方向の断面図、（ｂ）はマットレスクッション材の長手方向の断面図である。
【図３】内カバー示した図で、（ａ）は平面図、（ｂ）正面図、（ｃ）は左側面図、（ｄ）右側面図である。
【図４】外カバーの上側カバーを示す図で、（ａ）は平面図、（ｂ）は正面図、（ｃ）は右側面図、（ｄ）は底面図、（ｅ）は左側面図である。
【図５】外カバーの下側カバーを示す図で、（ａ）は平面図、（ｂ）は正面図、（ｃ）は右側面図、（ｄ）は底面図、（ｅ）は左側面図である。
【図６】身体へのずれ力が働く様子を示す図である。
【図７】従来技術による身体へのずれ力を防止する様子を示す図である。
【図８】他の従来技術による身体へのずれ力を考慮したというマットレスの断面図である。
【考案を実施するための形態】
【００２２】
以下、本考案に係るマットレスの実施の形態を図面を参照して説明する。
図１は、本考案に係るマットレスの第１の実施の形態を示し、（ａ）はマットレスの長手方向断面図、（ｂ）は幅方向の断面図である。図に示すように、このマットレス１０はクッション材として厚さ約１００ｍｍ、長さ約１９２０ｍｍ、横幅約８３０ｍｍのウレタンフォーム１２を用いており、このウレタンフォーム１２は中硬度の材質か或いは低反発の材質を用いている。なお、場合によっては、部位によって異なる硬度のウレタンフォームを用いても良い。例えば、腰部や臀部にあたる部位を中硬度にして、足や上半身にあたる部位を軟らかいものにしてもよい。 
【００２３】
このマットレス１０のクッション材であるウレタンフォーム１２は、内カバー１４で全面が被覆されており、さらにその外側を外カバー１６で被覆されている。内カバー１４は図３に示すように、その寸法は厚さ約１００ｍｍ、長さ約１９２０ｍｍ、横幅約８３０ｍｍとなっている。つまり、ウレタンフォーム１２とほぼ同一の寸法で、ウレタンフォーム１２がきちっと収まるように設定されている。なお、図３の（ａ）は平面図、（ｂ）は正面図、（ｃ）は左側面図、（ｄ）は右側面図で、左側面（右側面）にはウレタンフォーム１２を出し入れするためのファスナー１４ａが設けられている。 
【００２４】
一方、外カバー１６は、図４に示す上側外カバー１６Ａと、図５に示す下側外カバー１６Ｂで構成され、コ字状に形成されたファスナー１６ａと同じく反対側に対称に形成されたファスナー１６ｂとが設けられていて、ファスナー１６ａとファスナー１６ｂのそれぞれを脱着することで、上側外カバー１６Ａと下側外カバー１６Ｂとを一体化したり分離したりすることができる。 
また、上下の外カバー１６Ａ、１６Ｂをファスナー１６ａ、１６ｂで止めて一体化したときの外カバー１６の寸法は、厚さ約１２０ｍｍ、長さ約１９２０ｍｍ、横幅約８３０ｍｍに形成されており、内カバー１４よりも厚さが２０ｍｍほど大きく、余裕が取られている。このため、ギャッジ機構により背上げされ、マットレス１０が屈曲し身体がマットレスに追従できなくても、外カバー１６が内カバー１４に対し滑るので、身体へのずれ力を吸収することができ、身体へのストレス力を軽減することができる。 
【００２５】
次に、内カバー１４と外カバー１６の素材について説明する。 
先ず、３６０°全方向に滑りやすくするには、両カバー１４、１６とも方向性のない編み生地を使用する。例えば、外カバー１６にはポリエステルニット（天竺編み）で、内カバー１４はメッシュ生地（ポリエステル・レース編み）とする。このようにすると、ベッドの背上げのとき以外にも、寝返りのときにも身体に与えるずれ力を軽減させることができる。 
【００２６】
また、一方向のみ滑りやすくするには、両カバー１４、１６の片方に編み生地、他方に織り生地を使用する。例えば、外カバー１６にはポリエステルニット（天竺編み）で、内カバー１４にはポリエステルサテン（朱子織り）を使用する。縦糸が表に表れているので、縦方向のみ滑る。滑る方向をマットレス１０の長手方向に向ければ、ベッドの背上げのときに好適となる。また、滑る方向をマットレス１０の横幅方向に向ければ、ベッドに患者を乗せるときや寝返りを打たせるときに好適となる。 
【００２７】
なお、両カバー１４、１６とも織り生地を採用すると、一方向のみ滑ることになる。例えば、外カバー１６にナイロンオックス（平織り）で、内カバー１４にはポリエステルサテン（朱子織り）という具合である。 
【００２８】
外カバー１６は、上側外カバー１６Ａと下側外カバー１６Ｂとがファスナー１６ａ、１６ｂで分離できるので、上側外カバー１６Ａの素材を変更すれば、用途に応じて全方向滑り、一方向滑りを使い分けることができる。なお、上側外カバー１６Ａの表面には防水ラミネート加工をすることが好ましく、汚れを軽減することができるとともに、失禁等によるウレタンフォーム１２のダメージも少なくすることができる。 
【００２９】
次に、本考案に係るマットレスの第２の実施形態について説明する。 
第２の実施形態のマットレス２０は、第１の実施形態のマットレス１０がクッション材としてのウレタンフォームが１枚であったのに対し、図２に示すように、複数枚、ここでは３枚のウレタンフォーム２１、２２、２３が積み重ねられているものである。 
【００３０】
図２（ａ）はマットレス２０の長手方向断面図、（ｂ）は積層されたウレタンフォーム２１、２２、２３の長手方向断面図である。上側のウレタンフォーム２１は厚さ約２５ｍｍで柔らかい材質（♯ＧＴＦ４０）のもの、中間のウレタンフォーム２２は厚さ約４５ｍｍで足側の部位２２ａが柔らかい材質（♯２５Ｒ）、腰や臀部にあたる部位２２ｂは中硬度の材質（♯３５１７Ｒ）、上半身にあたる部位２２ｃは柔らかい材質（♯２５Ｒ）のものとする。一番下側のウレタンフォーム２３は硬い材質（♯２５Ｈ−Ｔ）のものを用いている。 
【００３１】
ウレタンフォームを部位によって硬度が異なる構成としたので、例えば腰部や臀部に位置する部位を硬めにしておけば、腰部や臀部の沈み込みを防げ、かつ上半身や下肢の部分が柔らかいので、肩や足への負担が少なくなる利点がある。 
【００３２】
上記説明したように、本考案に係るマットレス１０、２０は、従来の滑りに対応していないマットレスとほぼ同様な製造工程で、滑りに対応させることができる。 
【産業上の利用可能性】
【００３３】
本考案の実施の形態では、クッション材がウレタンフォームものに適用していたが、これに限らずエアマットレス、ウォーターマットレス、綿マットレス等にも適用することが可能である。
【符号の説明】
【００３４】
１０、２０  マットレス 
１２        ウレタンフォーム 
１４        内カバー 
１４ａ      ファスナー 
１６        外カバー 
１６Ａ      上側外カバー 
１６Ｂ      下側外カバー 
１６ａ      ファスナー 
１６ｂ      ファスナー 
２１        ウレタンフォーム 
２２        ウレタンフォーム 
２３        ウレタンフォーム 
６０        マットレス 
７０        ギャッジベッド 
【図１】
0003160242.tif 000003
【図２】
0003160242.tif 000004
【図３】
0003160242.tif 000005
【図４】
0003160242.tif 000006
【図５】
0003160242.tif 000007
【図６】
0003160242.tif 000008
【図７】
0003160242.tif 000009
【図８】
0003160242.tif 000010